(57)【特許請求の範囲】
【請求項１】
メイン画面と、タッチパネルと一体的に形成されたサブ画面と、を有する情報表示装置において、
見出語それぞれに説明情報を対応付けてなる辞書情報を記憶する辞書記憶手段と、
ユーザ操作に基づいて検索文字列を入力する入力手段と、
前記メイン画面に見出語リストエリアと説明情報プレビューエリアとをレイアウトし、前記辞書情報の前記検索文字列に対応する各見出語を前記見出語リストエリアに一覧表示するとともに、当該リスト表示された見出語の何れかを指定見出語として指定し、この指定見出語の説明情報を前記辞書情報から読み出して前記説明情報プレビューエリアに表示する見出語リスト・プレビュー表示手段と、
前記見出語リスト・プレビュー表示手段により、各見出語が前記見出語リストエリアに一覧表示され前記指定見出語の説明情報が前記説明情報プレビューエリアに表示された後に、ユーザ操作に基づいて前記サブ画面にメイン画面のレイアウトを変更するためのレイアウト変更画面を表示させる操作を行なう表示内容変更操作手段と、
前記表示内容変更操作手段によるレイアウト変更画面を表示させる操作に応じて、前記メイン画面のレイアウトを変更するためのレイアウト変更画面を前記サブ画面に表示するレイアウト変更画面表示手段と、
前記レイアウト変更画面に対するユーザのドラッグ操作に基づいて、前記メイン画面のレイアウトを変更して再表示させるレイアウト変更制御手段と、
を備えることを特徴とする情報表示装置。
【請求項２】
前記辞書情報の前記検索文字列に対応する各見出語のうち、先頭と末尾と中間の複数の見出語を抽出して、前記サブ画面に一覧表示する抽出見出語一覧表示手段と、
この抽出見出語一覧表示手段により表示されたいずれかの見出語を、ユーザのタッチ操作により指定する抽出見出語指定手段と、
この抽出見出語指定手段により指定された以降の前記辞書情報に収録された見出語を前記メイン画面の前記見出語一覧表示エリアに一覧表示する指定以降見出語一覧表示と、
を備える請求項１に記載の情報表示装置。
【請求項３】
請求項１または２記載の情報表示装置において、
前記レイアウト変更画面表示手段は、
前記説明情報プレビューエリアの表示内容のスクロールを指示するスクロール指示記号を前記レイアウト変更画面内に表示するスクロール指示記号表示手段を有し、
前記レイアウト変更制御手段は、
前記スクロール指示記号に対するユーザからのタッチ操作に基づいて、前記説明情報プレビューエリア内の説明情報をスクロールさせるスクロール表示制御手段を有することを特徴とする情報表示装置。
【請求項４】
請求項１〜３の何れか一項に記載の情報表示装置において、
前記入力手段は、
前記メイン画面に表示された何れかの単語を、ユーザ操作に基づいてジャンプ対象単語として指定するジャンプ対象単語指定手段を有し、
前記辞書記憶手段は、複数種類の前記辞書情報を記憶しており、
前記見出語リスト・プレビュー表示手段は、
前記ジャンプ対象単語指定手段によって前記ジャンプ対象単語が指定された場合に、前記メイン画面にジャンプ先見出語リストエリアとジャンプ先説明情報プレビューエリアとをレイアウトし、前記複数種類の辞書情報における何れかの辞書情報の前記ジャンプ対象単語に対応する各見出語を前記ジャンプ先見出語リストエリアに一覧表示するとともに、当該リスト表示された見出語の何れかを指定見出語として指定し、この指定見出語の説明情報を前記何れかの辞書情報から読み出して前記ジャンプ先説明情報プレビューエリアに表示し、
前記レイアウト変更画面表示手段は、
前記メイン画面に前記ジャンプ先見出語リストエリア及び前記ジャンプ先説明情報プレビューエリアが表示されている場合に、当該メイン画面のレイアウトを変更するためのジャンプ先レイアウト変更画面を前記サブ画面に表示し、
前記レイアウト変更制御手段は、
前記ジャンプ先レイアウト変更画面に対するユーザからのタッチ操作に基づいて、前記メイン画面の前記ジャンプ先説明情報プレビューエリアのサイズを変更して再表示させることを特徴とする情報表示装置。
【請求項５】
請求項４記載の情報表示装置において、
前記レイアウト変更画面表示手段は、
前記ジャンプ先説明情報プレビューエリアの表示内容のスクロールを指示するスクロール指示記号を前記ジャンプ先レイアウト変更画面内に表示するジャンプ先スクロール指示記号表示手段を有し、
前記レイアウト変更制御手段は、
前記ジャンプ先スクロール指示記号により表示された前記スクロール指示記号に対するユーザからのタッチ操作に基づいて、前記ジャンプ先説明情報プレビューエリア内の説明情報をスクロールさせるジャンプ先スクロール表示制御手段を有することを特徴とする情報表示装置。
【請求項６】
メイン画面と、タッチパネルと一体的に形成されたサブ画面と、を有するコンピュータに、
見出語それぞれに説明情報を対応付けてなる辞書情報を記憶する辞書記憶機能と、
ユーザ操作に基づいて検索文字列を入力する入力機能と、
前記メイン画面に見出語リストエリアと説明情報プレビューエリアとをレイアウトし、前記辞書情報の前記検索文字列に対応する各見出語を前記見出語リストエリアに一覧表示するとともに、当該リスト表示された見出語の何れかを指定見出語として指定し、この指定見出語の説明情報を前記辞書情報から読み出して前記説明情報プレビューエリアに表示する見出語リスト・プレビュー表示機能と、
前記見出語リスト・プレビュー表示機能により、各見出語が前記見出語リストエリアに一覧表示され前記指定見出語の説明情報が前記説明情報プレビューエリアに表示された後に、ユーザ操作に基づいて前記サブ画面にメイン画面のレイアウトを変更するためのレイアウト変更画面を表示させる操作を行なう表示内容変更操作機能と、
前記表示内容変更操作機能によるレイアウト変更画面を表示させる操作に応じて、前記メイン画面のレイアウトを変更するためのレイアウト変更画面を前記サブ画面に表示するレイアウト変更画面表示機能と、
前記レイアウト変更画面に対するユーザのドラッグ操作に基づいて、前記メイン画面のレイアウトを変更して再表示させるレイアウト変更制御機能と、
を実現させることを特徴とする情報表示プログラム。
【発明の詳細な説明】
【技術分野】
【０００１】
本発明は、情報表示装置及び情報表示プログラムに関する。
【背景技術】
【０００２】
従来、電子辞書などの情報表示装置においては、ユーザが検索文字列を入力すると、当該検索文字列に対応する見出語が辞書データベースから検索されて一覧表示されるとともに、指定された見出語の説明情報が見出語一覧とは別領域にプレビュー表示されるようになっている（例えば、特許文献１参照）。
【０００３】
ところで、近年の電子辞書では、説明情報のプレビューエリアを見出語一覧の下側に配置するか、右側に配置するかを切替できるようになっている。
【特許文献１】特開２００６−９９６７０号公報
【発明の開示】
【発明が解決しようとする課題】
【０００４】
しかしながら、このような電子辞書においては、プレビューエリアの位置は変更できるものの、サイズは変更できないため、プレビューされる内容は見出語の説明情報のうち、先頭からの所定文字数分に限られてしまう。そのため、所望の部分の説明情報を探すためには、説明情報を全画面表示させてスクロールさせる等の操作が必要となり、手間がかかってしまう。
【０００５】
本発明の課題は、所望の部分の説明情報を容易に探すことのできる情報表示装置及び情報表示プログラムを提供することである。
【課題を解決するための手段】
【０００６】
請求項１記載の発明は、
メイン画面と、タッチパネルと一体的に形成されたサブ画面と、を有する情報表示装置において、
見出語それぞれに説明情報を対応付けてなる辞書情報を記憶する辞書記憶手段と、
ユーザ操作に基づいて検索文字列を入力する入力手段と、
前記メイン画面に見出語リストエリアと説明情報プレビューエリアとをレイアウトし、前記辞書情報の前記検索文字列に対応する各見出語を前記見出語リストエリアに一覧表示するとともに、当該リスト表示された見出語の何れかを指定見出語として指定し、この指定見出語の説明情報を前記辞書情報から読み出して前記説明情報プレビューエリアに表示する見出語リスト・プレビュー表示手段と、
前記見出語リスト・プレビュー表示手段により、各見出語が前記見出語リストエリアに一覧表示され前記指定見出語の説明情報が前記説明情報プレビューエリアに表示された後に、ユーザ操作に基づいて前記サブ画面にメイン画面のレイアウトを変更するためのレイアウト変更画面を表示させる操作を行なう表示内容変更操作手段と、
前記表示内容変更操作手段によるレイアウト変更画面を表示させる操作に応じて、前記メイン画面のレイアウトを変更するためのレイアウト変更画面を前記サブ画面に表示するレイアウト変更画面表示手段と、
前記レイアウト変更画面に対するユーザのドラッグ操作に基づいて、前記メイン画面のレイアウトを変更して再表示させるレイアウト変更制御手段と、
を備えることを特徴とする。
【０００７】
請求項２記載の発明は、請求項１記載の情報表示装置において、
前記辞書情報の前記検索文字列に対応する各見出語のうち、先頭と末尾と中間の複数の見出語を抽出して、前記サブ画面に一覧表示する抽出見出語一覧表示手段と、
この抽出見出語一覧表示手段により表示されたいずれかの見出語を、ユーザのタッチ操作により指定する抽出見出語指定手段と、
この抽出見出語指定手段により指定された以降の前記辞書情報に収録された見出語を前記メイン画面の前記見出語一覧表示エリアに一覧表示する指定以降見出語一覧表示とを有することを特徴とする。
【０００８】
請求項３記載の発明は、請求項１または２記載の情報表示装置において、
前記レイアウト変更画面表示手段は、
前記説明情報プレビューエリアの表示内容のスクロールを指示するスクロール指示記号を前記レイアウト変更画面内に表示するスクロール指示記号表示手段を有し、
前記レイアウト変更制御手段は、
前記スクロール指示記号に対するユーザからのタッチ操作に基づいて、前記説明情報プレビューエリア内の説明情報をスクロールさせるスクロール表示制御手段を有することを特徴とする。
【０００９】
請求項４記載の発明は、請求項１〜３の何れか一項に記載の情報表示装置において、
前記入力手段は、
前記メイン画面に表示された何れかの単語を、ユーザ操作に基づいてジャンプ対象単語として指定するジャンプ対象単語指定手段を有し、
前記辞書記憶手段は、複数種類の前記辞書情報を記憶しており、
前記見出語リスト・プレビュー表示手段は、
前記ジャンプ対象単語指定手段によって前記ジャンプ対象単語が指定された場合に、前記メイン画面にジャンプ先見出語リストエリアとジャンプ先説明情報プレビューエリアとをレイアウトし、前記複数種類の辞書情報における何れかの辞書情報の前記ジャンプ対象単語に対応する各見出語を前記ジャンプ先見出語リストエリアに一覧表示するとともに、当該リスト表示された見出語の何れかを指定見出語として指定し、この指定見出語の説明情報を前記何れかの辞書情報から読み出して前記ジャンプ先説明情報プレビューエリアに表示し、
前記レイアウト変更画面表示手段は、
前記メイン画面に前記ジャンプ先見出語リストエリア及び前記ジャンプ先説明情報プレビューエリアが表示されている場合に、当該メイン画面のレイアウトを変更するためのジャンプ先レイアウト変更画面を前記サブ画面に表示し、
前記レイアウト変更制御手段は、
前記ジャンプ先レイアウト変更画面に対するユーザからのタッチ操作に基づいて、前記メイン画面の前記ジャンプ先説明情報プレビューエリアのサイズを変更して再表示させることを特徴とする。
【００１０】
請求項５記載の発明は、請求項４記載の情報表示装置において、
前記レイアウト変更画面表示手段は、
前記ジャンプ先説明情報プレビューエリアの表示内容のスクロールを指示するスクロール指示記号を前記ジャンプ先レイアウト変更画面内に表示するジャンプ先スクロール指示記号表示手段を有し、
前記レイアウト変更制御手段は、
前記ジャンプ先スクロール指示記号により表示された前記スクロール指示記号に対するユーザからのタッチ操作に基づいて、前記ジャンプ先説明情報プレビューエリア内の説明情報をスクロールさせるジャンプ先スクロール表示制御手段を有することを特徴とする。
【発明の効果】
【００１２】
請求項１に記載の発明によれば、メイン画面に見出語一覧表示させ指定見出し語の説明情報をプレビュー表示させた後に、サブ画面にレイアウト変更画面を表示させて、サブ画面のレイアウト変更画面に対するユーザのドラッグ操作によりメイン画面のレイアウトを変更するようにしたので、メイン画面に見出語一覧表示させ指定見出し語の説明情報をプレビュー表示させた後に、見出語一覧とプレビューとのレイアウトを容易に見やすく変更して、所望の見出語や説明情報を視認することができる。
請求項２に記載の発明によれば、サブ画面に先頭と末尾と中間の複数の見出語を抽出して表示して、いずれかの見出語をタッチ指定すると、指定された以降の前記辞書情報に収録された見出語を前記メイン画面に表示するようにしたので、多くの検索見出語のなかから所望の見出語を容易に探すことができる。
【発明を実施するための最良の形態】
【００１３】
以下、図面を参照して、本発明に係る情報表示装置を電子辞書に適用した場合の実施形態について詳細に説明する。
【００１４】
まず、本実施形態における電子辞書の構成を説明する。
［外観構成］
図１は、電子辞書１の平面図である。
この図に示すように、電子辞書１は、メインディスプレイ１０、サブディスプレイ１１及びキー群２を備えている。
【００１５】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescent Display）等によって構成されている。なお、本実施の形態におけるサブディスプレイ１１は、いわゆるタッチパネル１１ａ（図２参照）と一体的に形成されており、表面を押下することにより、押下位置に応じた入力操作が可能となっている。また、このサブディスプレイ１１は、入力ペン１１ｂ（図１０（ｂ）等参照）等の操作によって表示内容の一部を選択した場合に、当該入力ペン１１ｂをサブディスプレイ１１に当接させたまま移動させた後、サブディスプレイ１１から離すことによって、いわゆるドラッグ操作を行うことが可能となっている。
【００１６】
キー群２は、ユーザが電子辞書１を操作するための各種キーを有している。具体的には、キー群２は、訳／決定キー２ｂと、文字キー２ｃと、辞書選択キー２ｄと、カーソルキー２ｅと、シフトキー２ｆと、戻るキー２ｇと、レイアウトキー２ｈと、単語帳キー２ｉと、ジャンプキー２ｎ等とを有している。
【００１７】
訳／決定キー２ｂは、検索の実行や、見出語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８４，…（図２参照）の選択に使用されるキーである。
【００１８】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。
【００１９】
レイアウトキー２ｈは、メインディスプレイ１０のレイアウトを変更するときに使用されるキーであり、サブディスプレイ１１を用いてメインディスプレイ１０のレイアウトを変更する場合には、シフトキー２ｆと同時に操作されるようになっている。単語帳キー２ｉは、説明情報の表示された見出語を登録して後述の単語帳テーブル群８５（図２参照）に蓄積記憶させるときや、単語帳テーブル群８５に蓄積記憶された見出語を一覧表示するとき等に使用されるキーであり、本実施の形態においては、単語帳登録を行う場合にはシフトキー２ｆと組み合わせて使用され、登録内容を一覧表示する場合には単独で使用されるようになっている。
【００２０】
ジャンプキー２ｎは、ジャンプ機能を起動するときに使用されるキーである。なお、ジャンプ機能とは、説明情報が表示されている際に当該説明情報中の単語（以下、ジャンプ対象単語とする）をユーザが選択すると、そのジャンプ対象単語に対応する見出語がジャンプ先、つまり再検索先の辞書で再度検索される機能のことである。
【００２１】
［内部構成］
続いて、電子辞書１の内部構造について説明する。図２は、電子辞書１の内部構成を示すブロック図である。
【００２２】
この図に示すように、電子辞書１は、表示部４０、入力部３０、ＣＰＵ（Central Processing Unit）２０、フラッシュＲＯＭ（Read Only Memory）８０、ＲＡＭ（Random Access Memory）９０を備え、各部はバスＢで相互にデータ通信可能に接続されて構成されている。
【００２３】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２４】
入力部３０は、上述のキー群２やタッチパネル１１ａを備えており、押下されたキーやタッチパネル１１ａの位置に対応する信号をＣＰＵ２０に出力するようになっている。
【００２５】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２６】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、単語帳テーブル群８５と、ジャンル情報テーブル８７等とを記憶している。
【００２７】
情報表示プログラム８１は、後述の辞書検索処理（図５〜図９参照）をＣＰＵ２０に実行させるためのプログラムである。
【００２８】
辞書データベース群８２は、複数の辞書データベース８４，…を有しており、本実施の形態においては、国語辞典の辞書データベース８４ａや、「ブ○タニカ百科辞典」の辞書データベース８４ｂ、「マ○ペディア百科辞典」の辞書データベース８４ｃ、「ジ○ニアス英和辞典」の辞書データベース８４ｄ、英語類語辞典の辞書データベース８４ｅ等を有している。
【００２９】
これら辞書データベース８４には、例えば図３に１例を示すように、複数の見出語に対して、この見出語の意味内容からなる説明情報などが対応付けされて格納されている。
【００３０】
単語帳テーブル群８５は、各辞書データベース８４に１対１で対応する複数の単語帳テーブル８６，…を有している。各単語帳テーブル８６は、対応する辞書データベース８４中の説明情報が読み出されて表示され、ユーザ操作により単語帳登録が指示された際に、その見出語や例文を単語帳見出語として蓄積して格納する、つまり単語帳登録するようになっている。なお、この単語帳テーブル８６には、蓄積記憶される見出語の数に上限があり、これを超えた場合には、古いものから順に削除されるようになっている。
【００３１】
ジャンル情報テーブル８７には、図４に示すように、「国語系」や「英語系」、「学習１」〜「学習４」、「生活」、「実務・情報」などの各ジャンルに対し、当該ジャンルに属する見出語または説明情報の収録された辞書データベース８４の辞書名が対応付けされて格納されている。
【００３２】
具体的には、本実施の形態のジャンル情報テーブル８７において、「国語系」のジャンルに対しては、国語辞典の辞書データベース８４ａの辞書名「国語」や、「ブ○タニカ百科辞典」の辞書データベース８４ｂの辞書名「ブ○タニカ」、「マ○ペディア百科辞典」の辞書データベース８４ｃの辞書名「マ○ペディア」等が対応付けられており、「英語系」のジャンルに対しては、「ジ○ニアス英和辞典」の辞書データベース８４ｄの辞書名「ジ○ニアス」や、英語類語辞典の辞書データベース８４ｅの辞書名「英語類語」等が対応付けられており、「学習１」〜「学習４」のジャンルに対しては、例えば小学１年〜４年の学習進行度にそれぞれ対応する辞書データベース８４の辞書名が対応付けられている。なお、各辞書データベース８４の辞書名は、複数のジャンルに対応付けられていても良い。
【００３３】
ＲＡＭ９０は、ＣＰＵ２０が実行する各種プログラムや、これらプログラムの実行に係るデータ等を一時的に保持するメモリ領域を備えている。このＲＡＭ９０は、本実施の形態においては、選択辞書記憶領域９１、検索文字列記憶領域９２、指定見出語記憶領域９３及びジャンプ対象単語記憶領域９４を備えている。
【００３４】
ここで、選択辞書記憶領域９１には、見出語の検索対象としてユーザにより選択された辞書データベース８４（以下、選択辞書データベース８４０とする）の識別情報（辞書名）が格納されるようになっており、検索文字列記憶領域９２には、ユーザにより入力された入力文字が格納されるようになっている。また、指定見出語記憶領域９３には、辞書引きする対象の見出語としてユーザによって選択指定された指定見出語が記憶されるようになっている。なお、本実施の形態における指定見出語は、本実施の形態においては、入力文字や指定文字に前方一致するようアルファベット順或いは五十音順に辞書データベースから読み出された見出語の一覧から選択されるようになっている。ジャンプ対象単語記憶領域９４には、ジャンプ対象単語が記憶されるようになっている。
【００３５】
［動作］
続いて、電子辞書１の動作について説明する。
図５〜図９は、ＣＰＵ２０が情報表示プログラム８１を読み出して実行する辞書検索処理の流れを示すフローチャートである。
【００３６】
まず、図５に示すように、ユーザ操作により辞書選択キー２ｄが押下されて辞書データベース群８２から何れかの辞書データベース８４が選択されると（ステップＳ１）、ＣＰＵ２０は、選択された選択辞書データベース８４０の辞書名を選択辞書記憶領域９１に記憶させた後、メインディスプレイ１０に検索文字列の入力画面を表示させるとともに、サブディスプレイ１１にタッチパネル１１ａを介した手書き入力画面を表示させる（ステップＳ２）。
【００３７】
次に、キー群２やタッチパネル１１ａを介してユーザにより検索文字列が入力されると（ステップＳ３）、ＣＰＵ２０は、当該検索文字列を検索文字列記憶領域９２に記憶させた後、メインディスプレイ１０に見出語リスト一覧表示エリア１０３とプレビューエリア１０４とを別領域にレイアウトし、検索文字列に対応する見出語を選択辞書データベース８４０から検索して見出語一覧表示エリア１０３（図１０（ａ）参照）に一覧表示させるとともに、見出語一覧における先頭の見出語をカーソルで反転指定して指定見出語記憶領域９３に記憶させ、指定された見出語（以下、指定見出語とする）の説明情報をプレビューエリア１０４（図１０（ａ）参照）にプレビュー表示させる（ステップＳ４）。
【００３８】
ここで、本実施の形態においては、上述のように検索文字列の入力によって見出語の説明情報をプレビュー表示させた場合には、後述の図１０（ａ）等に示すように、メインディスプレイ１０には、上述の見出語一覧表示エリア１０３及びプレビューエリア１０４の他、辞書名表示エリア１００、情報表示エリア１０１及び検索文字列表示エリア１０２が設けられるようになっている。そして、辞書名表示エリア１００には選択辞書データベース８４０の辞書名が表示され、情報表示エリア１０１には、見出語について成句や複合語の有無などが表示され、検索文字列表示エリア１０２には、ステップＳ３で入力された検索文字列が表示されるようになっている。
【００３９】
次に、ＣＰＵ２０は、ユーザによりシフトキー２ｆとレイアウトキー２ｈとが操作されるか否かを判定し（ステップＳ５）、操作されないと判定した場合（ステップＳ５；Ｎｏ）には、上述のステップＳ３に移行する。
【００４０】
また、ステップＳ５においてシフトキー２ｆとレイアウトキー２ｈとが操作されたと判定した場合（ステップＳ５；Ｙｅｓ）には、ＣＰＵ２０は、メインディスプレイ１０の表示レイアウトを変更するためのレイアウト変更画面Ｈ（図１０（ａ）参照）をサブディスプレイ１１に表示させる（ステップＳ６）。
【００４１】
ここで、レイアウト変更画面Ｈ１には、後述の図１０（ａ）等に示すように、矩形枠状のタイトルエリア１１０、情報エリア１１１、文字入力エリア１１２、見出語リストエリア１１３及びデータエリア１１４がメインディスプレイ１０の表示レイアウトとほぼ同様の位置関係で配置されるようになっている。より詳細には、タイトルエリア１１０は辞書名表示エリア１００に、情報エリア１１１は情報表示エリア１０１に、文字入力エリア１１２は検索文字列表示エリア１０２に、見出語リストエリア１１３は見出語一覧表示エリア１０３に、データエリア１１４はプレビューエリア１０４に、それぞれ対応している。また、見出語リストエリア１１３及びデータエリア１１４の上下端部には、見出語一覧表示エリア１０３，プレビューエリア１０４の表示内容のスクロールを指示する矢印記号「▲」，「▼」が表示されるようになっている。なお、本実施の形態においては、タイトルエリア１１０、情報エリア１１１、文字入力エリア１１２、見出語リストエリア１１３及びデータエリア１１４の内部には、見出語リストエリア１１３及びデータエリア１１４における上述の矢印記号「▲」，「▼」の他は、何も表示されないこととして説明するが、メインディスプレイ１０における対応エリアと同様の内容が表示されることとしても良い。
【００４２】
次に、ＣＰＵ２０は、サブディスプレイ１１におけるデータエリア１１４または見出語リストエリア１１３の端部に対してドラッグ操作がされるか否かを判定し（ステップＳ７）、ドラッグ操作されたと判定した場合（ステップＳ７；Ｙｅｓ）には、当該ドラッグ操作に基づいてメインディスプレイ１０におけるプレビューエリア１０４の表示サイズ、つまりプレビュー表示のサイズを変更してメインディスプレイ１０内に各種情報を再表示させ（ステップＳ８）、上述のステップＳ７に移行する。なお、サブディスプレイ１１におけるデータエリア１１４及び見出語リストエリア１１３が左右に配設されている場合には、ステップＳ７におけるドラッグ操作はデータエリア１１４または見出語リストエリア１１３の左右端部に対して行われる。また、データエリア１１４及び見出語リストエリア１１３が上下に配設されている場合には、ステップＳ７におけるドラッグ操作はデータエリア１１４または見出語リストエリア１１３の上下端部に対して行われる。
【００４３】
また、ステップＳ７においてドラッグ操作がされないと判定した場合（ステップＳ７；Ｎｏ）には、ＣＰＵ２０は、サブディスプレイ１１におけるデータエリア１１４の矢印記号「▲」，「▼」に対してタッチ操作がされるか否かを判定する（ステップＳ９）。
【００４４】
このステップＳ９において矢印記号「▲」，「▼」に対してタッチ操作がされたと判定した場合（ステップＳ９；Ｙｅｓ）には、ＣＰＵ２０は、メインディスプレイ１０の情報表示エリア１０１における説明情報のプレビュー内容を矢印記号の指定方向にスクロールして表示させ（ステップＳ１０）、上述のステップＳ７に移行する。
【００４５】
また、ステップＳ９においてタッチ操作がされないと判定した場合（ステップＳ９；Ｎｏ）には、ＣＰＵ２０は、サブディスプレイ１１におけるタイトルエリア１１０に対してタッチ操作がされるか否かを判定する（ステップＳ１１）。
【００４６】
このステップＳ１１においてタイトルエリア１１０に対してタッチ操作がされたと判定した場合（ステップＳ１１；Ｙｅｓ）には、図６（ａ）に示すように、ＣＰＵ２０は、ジャンル情報テーブル８７内の情報に基づいて、選択辞書データベース８４０の切替先のジャンルをサブディスプレイ１１に一覧表示させ（ステップＴ１１）、何れかのジャンルに対してタッチ操作がされるか否かを判定し（ステップＴ１２）、タッチ操作されないと判定した場合（ステップＴ１２；Ｎｏ）には、他の処理へ移行する。
【００４７】
また、ステップＴ１２において何れかのジャンルに対してタッチ操作がされたと判定した場合（ステップＴ１２；Ｙｅｓ）には、ＣＰＵ２０は、タッチされたジャンルに属する辞書データベース８４の辞書名をサブディスプレイ１１に一覧表示させた後（ステップＴ１３）、何れかの辞書名に対してタッチ操作がされるか否かを判定し（ステップＴ１４）、タッチ操作がされないと判定した場合（ステップＴ１４；Ｎｏ）には、他の処理へ移行する。
【００４８】
また、ステップＴ１４においてタッチ操作がされたと判定した場合（ステップＴ１４；Ｙｅｓ）には、ＣＰＵ２０は、検索文字列記憶領域９２に記憶されている検索文字列が入力された状態のまま、メインディスプレイ１０に検索文字列の入力画面を表示するとともに、サブディスプレイ１１にタッチパネル１１ａを介した手書き入力画面を表示し、図５に示すように、上述のステップＳ３に移行する。これにより、既に入力した検索文字列に対する修正操作を可能としつつ、新たに選択した辞書データベース８４において検索が行われ、検索された見出語がメインディスプレイ１０の見出語一覧表示エリア１０３に一覧表示され、先頭の見出語の説明情報がプレビューエリア１０４に表示される（ステップＳ４）。
【００４９】
また、上述のステップＳ１１においてタッチ操作がされないと判定した場合（ステップＳ１１；Ｎｏ）には、ＣＰＵ２０は、図７に示すように、サブディスプレイ１１における文字入力エリア１１２に対してタッチ操作がされるか否かを判定し（ステップＳ１２）、タッチ操作がされたと判定した場合（ステップＳ１２；Ｙｅｓ）には、図５に示すように、検索文字列記憶領域９２に記憶されている検索文字列が入力された状態のまま、メインディスプレイ１０に検索文字列の入力画面を表示するとともに、サブディスプレイ１１にタッチパネル１１ａを介した手書き入力画面を表示し、上述のステップＳ３に移行する。これにより、既に入力した検索文字列に対する修正操作が可能となる。
【００５０】
また、図７に示すように、ステップＳ１２においてタッチ操作がされないと判定した場合（ステップＳ１２；Ｎｏ）には、ＣＰＵ２０は、指定見出語の変更操作がされるか否かを判定し（ステップＳ１３）、変更操作がされたと判定した場合（ステップＳ１３；Ｙｅｓ）には、当該変更操作に基づいてメインディスプレイ１０における指定見出語を変更して変更後の指定見出語の説明情報をプレビューエリア１０４に表示させる等、メインディスプレイ１０内に各種情報を再表示させるとともに、指定見出語記憶領域９３内の情報を更新した後（ステップＳ１４）、図５に示すように、上述のステップＳ７に移行する。
【００５１】
なお、上記ステップＳ１３における指定見出語の変更操作としては、カーソルキー２ｅの操作や、サブディスプレイ１１の見出語リストエリア１１３における矢印記号「▲」，「▼」のタッチ操作の他、当該見出語リストエリア１１３に見出語一覧が表示されている場合での、見出語のタッチ操作などが挙げられる。
【００５２】
また、図７に示すように、ステップＳ１３において変更操作がされないと判定した場合（ステップＳ１３；Ｎｏ）には、ＣＰＵ２０は、シフトキー２ｆとレイアウトキーとが操作されるか否かを判定する（ステップＳ１５）。
【００５３】
このステップＳ１５においてシフトキー２ｆとレイアウトキー２ｈとが操作されたと判定した場合（ステップＳ１５；Ｙｅｓ）には、ＣＰＵ２０は、現在のプレビューエリア１０４が見出語一覧表示エリア１０３の右側に位置しているか否かを判定し（ステップＳ１６）、右側に位置していると判定した場合（ステップＳ１６；Ｙｅｓ）には、メインディスプレイ１０におけるプレビューエリア１０４を見出語一覧表示エリア１０３の下側に変更してメインディスプレイ１０内に各種情報を再表示させ（ステップＳ１７）、図５に示すように、上述のステップＳ７に移行する。また、このときＣＰＵ２０は、サブディスプレイ１１に表示されるレイアウト変更画面Ｈのデータエリア１１４を見出語リストエリア１１３の下側に変更してサブディスプレイ１１内に各種情報を再表示させる。
【００５４】
また、図７に示すように、ステップＳ１６においてプレビューエリア１０４が見出語一覧表示エリア１０３の右側に位置していないと判定した場合、つまり下側に位置していると判定した場合（ステップＳ１６；Ｎｏ）には、ＣＰＵ２０は、図６（ｂ）に示すように、検索文字列に対応する全ての見出語のうち、先頭の見出語と、末尾の見出語と、その中間の見出語と、更にその中間の見出語とを抽出し（ステップＴ２１）、抽出した見出語を辞書データベース８４における収録順序でサブディスプレイ１１に一覧表示させる（ステップＴ２２）。なお、このステップＴ２１において、例えば、検索文字列に対応する見出語が９個ある場合には、１番目，３番目，５番目，７番目，９番目の見出語が抽出されることとなる。但し、ここで抽出される見出語数は５個に限らず、３個や７個であっても良い。
【００５５】
次に、ＣＰＵ２０は、サブディスプレイ１１における見出語に対してタッチ操作がされるか否かを判定し（ステップＴ２３）、タッチ操作がされないと判定した場合（ステップＴ２３；Ｎｏ）には、他の処理へ移行する。
【００５６】
また、ステップＴ２３においてタッチ操作がされたと判定した場合（ステップＴ２３；Ｙｅｓ）には、ＣＰＵ２０は、タッチされた見出語を先頭とする一連の該当見出語、つまり、タッチされた見出語以降に辞書データベース８４に収録された見出語をメインディスプレイ１０の見出語一覧表示エリア１０３に一覧表示させる（ステップＴ２４）。これにより、検索文字列に対応する見出語の個数が多い場合であっても、ユーザは所望の見出語を容易に探すことができる。
【００５７】
次に、ＣＰＵ２０は、タッチされた見出語を指定見出語として指定し、その説明情報をプレビューエリア１０４に表示させた後（ステップＴ２６）、訳／決定キー２ｂが操作されるか否かを判定し（ステップＴ２７）、操作されないと判定した場合（ステップＴ２７；Ｎｏ）には、他の処理へ移行する。
【００５８】
また、ステップＴ２７において訳／決定キー２ｂが操作されたと判定した場合（ステップＴ２７；Ｙｅｓ）には、ＣＰＵ２０は、図８に示すように、指定見出語の説明情報をメインディスプレイ１０に全画面表示させるとともに、辞書データベース８４において当該指定見出語の前後に収録されている他の見出語への変更ボタン１１７（図１２（ａ）参照）や、指定見出語の単語帳登録ボタン１１８（図１２（ａ）参照）をサブディスプレイ１１に表示させる（ステップＳ５１）。なお、このとき、ＣＰＵ２０は、サブディスプレイ１１における変更ボタン１１７に対してタッチ操作がされた場合には、前または後の見出語を指定見出語に変更して、その説明情報をメインディスプレイ１０に全画面表示させる一方、単語帳登録ボタン１１８に対してタッチ操作がされた場合には、選択辞書データベース８４０に対応する単語帳テーブル８６に指定見出語を記憶させるようになっている。
【００５９】
次に、ＣＰＵ２０は、ジャンプキー２ｎが操作されるか否かを判定し（ステップＳ５２）、操作されないと判定した場合（ステップＳ５２；Ｎｏ）には、他の処理へ移行する。
【００６０】
また、ステップＳ５２においてジャンプキー２ｎが操作されたと判定した場合（ステップＳ５２；Ｙｅｓ）には、ＣＰＵ２０は、メインディスプレイ１０に表示されている説明情報内に、ジャンプ対象単語の選択用のカーソルを表示させる（ステップＳ５３）。
【００６１】
次に、ＣＰＵ２０は、カーソルキー２ｅが操作されるか否かを判定し（ステップＳ５４）、操作されないと判定した場合（ステップＳ５４；Ｎｏ）には、他の処理へ移行する。
【００６２】
また、ステップＳ５４においてカーソルキー２ｅが操作されたと判定した場合（ステップＳ５４；Ｙｅｓ）には、ＣＰＵ２０は、カーソルキー２ｅによる指定方向にカーソルを移動して表示した後（ステップＳ５５）、カーソル移動先の文字の種類に対応する辞書データベース８４の辞書名をジャンプ先としてサブディスプレイ１１に一覧表示させ（ステップＳ５６）、サブディスプレイ１１における辞書名に対してタッチ操作がされるか否かを判定する（ステップＳ５７）。なお、このステップＳ５５によるカーソル移動先の文字は、後述のステップＳ５８においてジャンプ対象単語の先頭文字とされる。
【００６３】
このステップＳ５７においてタッチ操作がされないと判定した場合（ステップＳ５７；Ｎｏ）には、ＣＰＵ２０は、上述のステップＳ５４に移行する。また、ステップＳ５７において辞書名に対しタッチ操作がされたと判定した場合（ステップＳ５７；Ｙｅｓ）には、ＣＰＵ２０は、カーソル指定された文字を先頭とする文字列の単語をジャンプ対象単語としてジャンプ対象単語記憶領域９４に記憶させ、タッチ操作された辞書名の辞書データベース８４、つまりジャンプ先の辞書データベース８４から、ジャンプ対象単語に対応する見出語を検索する（ステップＳ５８）。
【００６４】
次に、ＣＰＵ２０は、メインディスプレイ１０に見出語リスト一覧表示エリア１０３とプレビューエリア１０４とを別領域にレイアウトし、検出された見出語をメインディスプレイ１０の見出語一覧表示エリア１０３に一覧表示するとともに、見出語一覧における先頭の見出語をカーソルで反転指定して指定見出語記憶領域９３に記憶させて、当該指定見出語の説明情報をプレビューエリア１０４にプレビュー表示させた後（ステップＳ５９）、メインディスプレイ１０の表示レイアウトを変更するためのレイアウト変更画面Ｈ１をサブディスプレイ１１に表示させる（ステップＳ６０）。ここで、レイアウト変更画面Ｈ１には、後述の図１２（ｃ）に示すように、矩形枠状の情報エリア１１１、文字入力エリア１１２、見出語リストエリア１１３及びデータエリア１１４がメインディスプレイ１０のレイアウトとほぼ同様の位置関係で配置されるようになっている。
【００６５】
次に、ＣＰＵ２０は、上述のステップＳ７と同様に、サブディスプレイ１１におけるデータエリア１１４または見出語リストエリア１１３の端部に対してドラッグ操作がされるか否かを判定し（ステップＳ６１）、ドラッグ操作されたと判定した場合（ステップＳ６１；Ｙｅｓ）には、当該ドラッグ操作に基づいてメインディスプレイ１０におけるプレビューエリア１０４の表示サイズ、つまりプレビュー表示のサイズを変更してメインディスプレイ１０内に各種情報を再表示させ（ステップＳ６２）、上述のステップＳ６１に移行する。
【００６６】
また、ステップＳ６１においてドラッグ操作がされないと判定した場合（ステップＳ６１；Ｎｏ）には、ＣＰＵ２０は、サブディスプレイ１１におけるデータエリア１１４の矢印記号「▲」，「▼」に対してタッチ操作がされるか否かを判定する（ステップＳ６３）。
【００６７】
このステップＳ６３において矢印記号「▲」，「▼」に対してタッチ操作がされたと判定した場合（ステップＳ６３；Ｙｅｓ）には、ＣＰＵ２０は、メインディスプレイ１０の情報表示エリア１０１における説明情報のプレビュー内容を矢印記号の指定方向にスクロールして表示させ（ステップＳ６４）、上述のステップＳ６１に移行する。
【００６８】
また、ステップＳ６３においてタッチ操作がされないと判定した場合（ステップＳ６３；Ｎｏ）には、図９に示すように、ＣＰＵ２０は、サブディスプレイ１１におけるタイトルエリア１１０に対してタッチ操作がされるか否かを判定する（ステップＳ６５）。
【００６９】
このステップＳ６５においてタイトルエリア１１０に対してタッチ操作がされたと判定した場合（ステップＳ６５；Ｙｅｓ）には、図６（ａ）に示すように、ＣＰＵ２０は、上述のステップＴ１１に移行する。
【００７０】
また、図９に示すように、上述のステップＳ６５においてタッチ操作がされないと判定した場合（ステップＳ６５；Ｎｏ）には、ＣＰＵ２０は、上述のステップＳ１３と同様に指定見出語の変更操作がされるか否かを判定し（ステップＳ６６）、変更操作がされたと判定した場合（ステップＳ６６；Ｙｅｓ）には、当該変更操作に基づいてメインディスプレイ１０における指定見出語を変更してメインディスプレイ１０内に各種情報を再表示させるとともに、指定見出語記憶領域９３内の情報を更新した後（ステップＳ６７）、図８に示すように、上述のステップＳ６１に移行する。
【００７１】
また、図９に示すように、ステップＳ６６において変更操作がされないと判定した場合（ステップＳ６６；Ｎｏ）には、ＣＰＵ２０は、シフトキー２ｆとレイアウトキーとが操作されるか否かを判定する（ステップＳ６８）。
【００７２】
このステップＳ６８においてシフトキー２ｆとレイアウトキー２ｈとが操作されたと判定した場合（ステップＳ６８；Ｙｅｓ）には、ＣＰＵ２０は、現在のプレビューエリア１０４が見出語一覧表示エリア１０３の右側に位置しているか否かを判定し（ステップＳ６９）、右側に位置していると判定した場合（ステップＳ６９；Ｙｅｓ）には、メインディスプレイ１０におけるプレビューエリア１０４を見出語一覧表示エリア１０３の下側に変更してメインディスプレイ１０内に各種情報を再表示させた後（ステップＳ７０）、図８に示すように、上述のステップＳ６１に移行する。また、このときＣＰＵ２０は、サブディスプレイ１１に表示されるレイアウト変更画面Ｈ１のデータエリア１１４を見出語リストエリア１１３の下側に変更してサブディスプレイ１１内に各種情報を再表示させる。
【００７３】
また、図９に示すように、ステップＳ６９においてプレビューエリア１０４が見出語一覧表示エリア１０３の右側に位置していないと判定した場合、つまり下側に位置していると判定した場合（ステップＳ６９；Ｎｏ）には、ＣＰＵ２０は、図６（ｂ）に示すように、上述のステップＴ２１に移行する。
【００７４】
また、図９に示すように、上述のステップＳ６８においてシフトキー２ｆとレイアウトキー２ｈとが操作されないと判定した場合（ステップＳ６８；Ｎｏ）には、ＣＰＵ２０は、訳／決定キー２ｂが操作されるか否かを判定し（ステップＳ７１）、操作されないと判定した場合（ステップＳ７１；Ｎｏ）には他の処理へ移行する一方、操作されたと判定した場合（ステップＳ７１；Ｙｅｓ）には、図８に示すように、上述のステップＳ５１に移行する。
【００７５】
同様に、図７に示すように、上述のステップＳ１５においてシフトキー２ｆとレイアウトキー２ｈとが操作されないと判定した場合（ステップＳ１５；Ｎｏ）には、ＣＰＵ２０は、訳／決定キー２ｂが操作されるか否かを判定し（ステップＳ１８）、操作されないと判定した場合（ステップＳ１８；Ｎｏ）には他の処理へ移行する一方、操作されたと判定した場合（ステップＳ１８；Ｙｅｓ）には、図８に示すように、上述のステップＳ５１に移行する。
【００７６】
（動作例）
続いて、図１０〜図１４を参照しつつ、上記の辞書検索処理を具体的に説明する。なお、これらの図においては、図中の左側にメインディスプレイ１０やサブディスプレイ１１の表示画面等を示すとともに、キー群２に対する主な操作手順を図中の右端側に示している。
【００７７】
＜動作例１＞
まず図１０（ａ）に示すように、ユーザ操作により国語辞典の辞書データベース８４ａが選択され（ステップＳ１）、検索文字列「とっきょ」が入力されると（ステップＳ３）、当該検索文字列「とっきょ」に対応する見出語「特許」、「独居」，…が辞書データベース８４ａから検索されて見出語一覧表示エリア１０３に一覧表示されるとともに、先頭の見出語が指定見出語とされて、その説明情報がプレビューエリア１０４に表示される（ステップＳ４）。また、この状態から、シフトキー２ｆとレイアウトキー２ｈとが操作されると（ステップＳ５）、サブディスプレイ１１にレイアウト変更画面Ｈが表示される（ステップＳ６）。
【００７８】
次に、図１０（ｂ）に示すように、サブディスプレイ１１におけるデータエリア１１４の左右端部に対して入力ペン１１ｂによってドラッグ操作がされると（ステップＳ７；Ｙｅｓ）、当該ドラッグ操作に基づいてメインディスプレイ１０におけるプレビューエリア１０４の表示サイズ、つまりプレビュー表示のサイズが変更される。
【００７９】
また、図１０（ｃ）に示すように、図１０（ａ）の状態からサブディスプレイ１１におけるデータエリア１１４の矢印記号「▼」に対してタッチ操作がされると（ステップＳ９；Ｙｅｓ）、メインディスプレイ１０の情報表示エリア１０１における説明情報のプレビュー内容が矢印記号「▼」の指定方向（下方向）にスクロールして表示される（ステップＳ１０）。
【００８０】
また、図１０（ｄ）に示すように、図１０（ａ）の状態からサブディスプレイ１１における文字入力エリア１１２に対してタッチ操作がされると（ステップＳ１２；Ｙｅｓ）、検索文字列「とっきょ」が入力された状態のまま、メインディスプレイ１０には検索文字列の入力画面が表示され、サブディスプレイ１１には手書き入力画面が表示される。
【００８１】
また、図１１（ａ）に示すように、図１０（ａ）の状態から、ユーザが再度シフトキー２ｆとレイアウトキー２ｈとを操作すると（ステップＳ１５；Ｙｅｓ）、メインディスプレイ１０におけるプレビューエリア１０４が見出語一覧表示エリア１０３の下側に変更されてメインディスプレイ１０内に各種情報が再表示される（ステップＳ１７）。また、サブディスプレイ１１に表示されるレイアウト変更画面Ｈのデータエリア１１４が見出語リストエリア１１３の下側に変更されてサブディスプレイ１１内に各種情報が再表示される。
【００８２】
次に、図１１（ｂ）に示すように、サブディスプレイ１１におけるデータエリア１１４の上下端部に対してドラッグ操作がされると（ステップＳ７；Ｙｅｓ）、当該ドラッグ操作に基づいてメインディスプレイ１０におけるプレビューエリア１０４の表示サイズ、つまりプレビュー表示のサイズが変更される。
【００８３】
次に、図１１（ｃ）に示すように、サブディスプレイ１１におけるデータエリア１１４の矢印記号「▼」に対してタッチ操作がされると（ステップＳ９；Ｙｅｓ）、メインディスプレイ１０の情報表示エリア１０１における説明情報のプレビュー内容が矢印記号「▼」の指定方向（下方向）にスクロールして表示される（ステップＳ１０）。
【００８４】
次に、図１２（ａ）に示すように、訳／決定キー２ｂが操作されると（ステップＳ１８；Ｙｅｓ）、指定見出語「特許」の説明情報がメインディスプレイ１０に全画面表示されるとともに、変更ボタン１１７や、単語帳登録ボタン１１８がサブディスプレイ１１に表示される（ステップＳ５１）。
【００８５】
次に、図１２（ｂ）に示すように、ジャンプキー２ｎ及びカーソルキー２ｅが操作されて（ステップＳ５２；Ｙｅｓ，ステップＳ５４；Ｙｅｓ）、説明情報中の「独占」の先頭文字「独」上にカーソルが位置すると、当該文字「独」の種類に対応する辞書データベース８４の辞書名「国語辞典」，「ブ○タニカ」，…がジャンプ先としてサブディスプレイ１１に一覧表示される（ステップＳ５６）。
【００８６】
次に、サブディスプレイ１１における辞書名「国語辞典」に対してタッチ操作がされると（ステップＳ５７；Ｙｅｓ）、図１２（ｃ）に示すように、カーソル指定された文字「独」を先頭とする文字列の単語「独占」，「独」がジャンプ対象単語としてジャンプ対象単語記憶領域９４に記憶され、タッチ操作された辞書名「国語辞典」の辞書データベース８４ａから、ジャンプ対象単語に対応する見出語が検索される（ステップＳ５８）。
【００８７】
そして、検出された見出語「独占」，「独」がメインディスプレイ１０に一覧表示されるとともに、見出語一覧における先頭の見出語「独占」がカーソルで反転指定され、当該指定見出語「独占」の説明情報がプレビューエリア１０４にプレビュー表示され（ステップＳ５９）、メインディスプレイ１０のレイアウト変更画面Ｈ１がサブディスプレイ１１に表示される（ステップＳ６０）。なお、本動作例では、ジャンプ先の辞書データベース８４の辞書名がメインディスプレイ１０の上段に一覧表示されており、この辞書名を選択することにより、当該辞書名の辞書データベース８４からジャンプ対象単語に対応する見出語が検索され、検出された見出語がメインディスプレイ１０に一覧表示され、先頭の見出語の説明情報がプレビュー表示されるようになっている。
【００８８】
＜動作例２＞
まず、図１３（ａ）に示すように、ユーザ操作により国語辞典の辞書データベース８４ａが選択されて（ステップＳ１）、検索文字列「あさ」が入力されると（ステップＳ３）、当該検索文字列「あさ」に対応する見出語「麻」、「朝」，…が辞書データベース８４ａから検索されて見出語一覧表示エリア１０３に一覧表示されるとともに、先頭の見出語「麻」の説明情報がプレビューエリア１０４に表示された状態となり（ステップＳ４）、次に、シフトキー２ｆとレイアウトキー２ｈとが操作されると（ステップＳ５）、サブディスプレイ１１にレイアウト変更画面Ｈが表示され（ステップＳ６）、再度シフトキー２ｆとレイアウトキー２ｈとが操作されると（ステップＳ１５；Ｙｅｓ）、メインディスプレイ１０におけるプレビューエリア１０４が見出語一覧表示エリア１０３の下側に変更されてメインディスプレイ１０内に各種情報が再表示される（ステップＳ１７）。また、サブディスプレイ１１に表示されるレイアウト変更画面Ｈのデータエリア１１４が見出語リストエリア１１３の下側に変更されてサブディスプレイ１１内に各種情報が再表示される。
【００８９】
次に、ユーザが再度シフトキー２ｆとレイアウトキー２ｈとを操作すると（ステップＳ１５；Ｙｅｓ）、検索文字列「あさ」に対応する見出語「麻」，…のうち、先頭の見出語「麻」と、末尾の見出語「アサンブラージュ」と、その中間の見出語「浅事」と、更にその中間の見出語「浅鹿の浦」，「朝和ぎ」とが抽出され（ステップＴ２１）、サブディスプレイ１１に一覧表示される（ステップＴ２２）。
【００９０】
次に、図１３（ｂ）に示すように、サブディスプレイ１１における見出語「浅鹿の浦」に対してタッチ操作がされると（ステップＴ２３；Ｙｅｓ）、タッチされた見出語「浅鹿の浦」以降に辞書データベース８４ａに収録された見出語「浅鹿の浦」，「安積の沼」，…がメインディスプレイ１０の見出語一覧表示エリア１０３に一覧表示され（ステップＴ２４）、先頭の見出語「浅鹿の浦」の説明情報がプレビューエリア１０４に表示される（ステップＴ２６）。
【００９１】
また、図１３（ｃ）に示すように、図１３（ａ）の状態からサブディスプレイ１１における見出語「アサンブラージュ」に対してタッチ操作がされると（ステップＴ２３；Ｙｅｓ）、タッチされた見出語「アサンブラージュ」以降に辞書データベース８４ａに収録された見出語「アサンブラージュ」，「足・脚」，…がメインディスプレイ１０の見出語一覧表示エリア１０３に一覧表示され（ステップＴ２４）、先頭の見出語「アサンブラージュ」の説明情報がプレビューエリア１０４に表示される（ステップＴ２６）。なお、図１３（ｃ）中、「足・脚」以降の見出語は、検索文字列「あさ」に対応する見出語ではないが、辞書データベース８４ａにおいて「アサンブラージュ」の次に収録されているため、見出語一覧表示エリア１０３に表示されている。
【００９２】
＜動作例３＞
まず、図１４（ａ）に示すように、ユーザ操作により「ジ○ニアス英和辞典」の辞書データベース８４ｄが選択されて（ステップＳ１）、検索文字列「patent」が入力されると（ステップＳ３）、当該検索文字列「patent」に対応する見出語「patent」、「patentee」，…が辞書データベース８４ｄから検索されて見出語一覧表示エリア１０３に一覧表示されるとともに、先頭の見出語「patent」の説明情報がプレビューエリア１０４に表示された状態となり（ステップＳ４）、次に、シフトキー２ｆとレイアウトキー２ｈとが操作されると（ステップＳ５）、サブディスプレイ１１にレイアウト変更画面Ｈが表示される（ステップＳ６）。
【００９３】
次に、サブディスプレイ１１におけるタイトルエリア１１０に対してタッチ操作がされると（ステップＳ１１；Ｙｅｓ）、選択辞書データベース８４０の切替先のジャンル「国語系」，「英語系」，…がサブディスプレイ１１に一覧表示され（ステップＴ１１）、ジャンル「英語系」に対してタッチ操作がされると（ステップＴ１２；Ｙｅｓ）、タッチされたジャンルに属する辞書データベース８４の辞書名「ジ○ニアス」，「英語類語」，…がサブディスプレイ１１に一覧表示される（ステップＴ１３）。
【００９４】
次に、辞書名「英語類語」に対してタッチ操作がされると（ステップＴ１４；Ｙｅｓ）、図１４（ｂ）に示すように、検索文字列記憶領域９２に記憶されている検索文字列「patent」が入力された状態のまま、メインディスプレイ１０に検索文字列の入力画面が表示されるとともに、サブディスプレイ１１に手書き入力画面が表示され、上述のステップＳ３に移行する。これにより、既に入力した検索文字列に対する修正操作を可能としつつ、新たに選択した辞書データベース８４ｅにおいて検索文字列「patent」に対応する見出語の検索が行われ、検索された見出語「patent」，「patent attorney」，…がメインディスプレイ１０の見出語一覧表示エリア１０３に一覧表示され、先頭の見出語「patent」の説明情報がプレビューエリア１０４に表示される（ステップＳ４）。
【００９５】
以上の電子辞書１によれば、図５のステップＳ８や、図１０（ｂ）、図１１（ｂ）等に示したように、レイアウト変更画面Ｈに対するユーザからのタッチ操作に基づいて、プレビューエリア１０４のサイズが変更されて表示内容が再表示されるので、タッチ操作を行うことによりプレビューエリア１０４のサイズを変更することができる。従って、プレビューされる内容が説明情報の先頭からの所定文字数分に限られてしまう従来の場合と比較して、所望の部分の説明情報を容易に探すことができる。
【００９６】
また、図５のステップＳ９や、図１０（ｃ），図１１（ｃ）等に示したように、データエリア１１４の矢印記号「▲」，「▼」に対するユーザからのタッチ操作に基づいて、プレビューエリア１０４内の説明情報がスクロールされるので、いっそう容易に所望の部分の説明情報を探すことができる。
【００９７】
また、図８のステップＳ６２や、図１２等に示したように、レイアウト変更画面Ｈ１に対するユーザからのタッチ操作に基づいて、ジャンプ先のプレビューエリア１０４のサイズが変更されて表示内容が再表示されるので、タッチ操作を行うことによりジャンプ先のプレビューエリア１０４のサイズを変更することができる。従って、ジャンプ対象単語の説明情報についても、所望の部分を容易に探すことができる。
【００９８】
また、図８のステップＳ６４や、図１２等に示したように、データエリア１１４の矢印記号「▲」，「▼」に対するユーザからのタッチ操作に基づいて、ジャンプ先のプレビューエリア１０４内の説明情報がスクロールされるので、ジャンプ対象単語の説明情報についても、いっそう容易に所望の部分の説明情報を探すことができる。
【００９９】
なお、本発明を適用可能な実施形態は、上述した実施形態に限定されることなく、本発明の趣旨を逸脱しない範囲で適宜変更可能である。
【０１００】
例えば、本発明に係る情報表示装置を電子辞書１として説明したが、本発明が適用可能なものは、このような製品に限定されず、携帯電話、パソコンなどの電子機器全般に適用可能である。また、本発明に係る情報表示プログラム８１は、電子辞書１に対して着脱可能なメモリカード、ＣＤ等に記憶されることとしてもよい。
【図面の簡単な説明】
【０１０１】
【図１】本発明に係る情報表示装置を適用した電子辞書を示す平面図である。
【図２】本発明に係る情報表示装置を適用した電子辞書の概略構成を示すブロック図である。
【図３】辞書データベースの構造を示す図である。
【図４】ジャンル情報テーブルの構造を示す図である。
【図５】辞書検索処理の動作を示すフローチャートである。
【図６】辞書検索処理の動作を示すフローチャートである。
【図７】辞書検索処理の動作を示すフローチャートである。
【図８】辞書検索処理の動作を示すフローチャートである。
【図９】辞書検索処理の動作を示すフローチャートである。
【図１０】辞書検索処理における表示内容などを示す概念図である。
【図１１】辞書検索処理における表示内容などを示す概念図である。
【図１２】辞書検索処理における表示内容などを示す概念図である。
【図１３】辞書検索処理における表示内容などを示す概念図である。
【図１４】辞書検索処理における表示内容などを示す概念図である。
【符号の説明】
【０１０２】
１  電子辞書（情報表示装置）
１０  メインディスプレイ（メイン画面、見出語リスト・プレビュー表示手段）
１１  サブディスプレイ（サブ画面、レイアウト変更画面表示手段、スクロール指示記号                          表示手段、ジャンプ先スクロール指示記号表示手段）
１１ａ  タッチパネル（手書き入力手段）
２０  ＣＰＵ（レイアウト変更制御手段、表示内容変更制御手段、
スクロール表示制御手段、ジャンプ先スクロール表示制御手段）
３０  入力部（入力手段、ジャンプ対象単語指定手段）
８０  フラッシュＲＯＭ（辞書記憶手段）
１０３  見出語一覧表示エリア（ジャンプ先見出語リストエリア）
１０４  プレビューエリア（ジャンプ先説明情報プレビューエリア）
Ｈ  レイアウト変更画面
Ｈ１  レイアウト変更画面（ジャンプ先レイアウト変更画面）
【図１】
0005125257.tif 000002
【図２】
0005125257.tif 000003
【図３】
0005125257.tif 000004
【図４】
0005125257.tif 000005
【図５】
0005125257.tif 000006
【図６】
0005125257.tif 000007
【図７】
0005125257.tif 000008
【図８】
0005125257.tif 000009
【図９】
0005125257.tif 000010
【図１０】
0005125257.tif 000011
【図１１】
0005125257.tif 000012
【図１２】
0005125257.tif 000013
【図１３】
0005125257.tif 000014
【図１４】
0005125257.tif 000015